(57)【要約】【課題】天井等に吊り下げられて設置される場合に見栄えを向上させ得る投写型表示装置を提供する。【解決手段】プロジェクタは、本体キャビネット１０の左側面に配された端子８０２ａと、本体キャビネット１０の左側面に装着され、ケーブルが接続された端子８０２ａを覆う端子カバー１６とを備える。ここで、端子カバー１６には、プロジェクタが上方から吊られるように設置された状態で上を向く面に、ケーブルが通される開口部１６４が設けられている。プロジェクタには、さらに、本体キャビネット１０の左側面に装着され、端子カバー１６の内側に重なる内カバー１５が設けられている。【選択図】図１１
2011170110.tif 000002
【特許請求の範囲】
【請求項１】
投写型表示装置において、
本体キャビネットの側面に配された端子と、
前記側面に装着され、ケーブルが接続された前記端子を覆う端子カバーと、を備え、
前記端子カバーには、当該投写型表示装置が上から吊られるように設置されたときに上を向く面に、前記ケーブルが通される開口部が設けられている、
ことを特徴とする投写型表示装置。
【請求項２】
請求項１に記載の投写型表示装置において、
前記側面に装着され、前記端子カバーの内側に重なる内カバーを備える、
ことを特徴とする投写型表示装置。
【請求項３】
請求項２に記載の投写型表示装置において、
前記内カバーには、張出部と、この張出部よりも前記端子カバーとの重なり量が小さい凹部が設けられ、
前記凹部に、前記端子を前記端子カバー内へ露出させる窓部が設けられている、
ことを特徴とする投写型表示装置。
【請求項４】
請求項２又は３に記載の投写型表示装置において、
前記内カバーの前記窓部の周囲に、前記端子の種別を示す文字が上下逆さまに印されている、
ことを特徴とする投写型表示装置。
【請求項５】
投写型表示装置の側面に配された端子を、ケーブルが接続された状態で覆う端子カバーであって、
前記投写型表示装置が上から吊られるように設置されたときに上を向く面に、前記ケーブルが通される開口部が設けられている、
ことを特徴とする端子カバー。
【請求項６】
請求項５に記載の端子カバーと、
投写型表示装置の側面に装着され、前記端子カバーの内側に重なる内カバーと、を備え、
前記内カバーには、張出部と、この張出部よりも重なり量が小さい凹部が設けられ、前記凹部に、前記端子を前記端子カバー内へ露出させるための窓部が設けられている、
ことを特徴とするカバーユニット。
【発明の詳細な説明】
【技術分野】
【０００１】
本発明は、光変調素子によって変調された光を被投写面に拡大投写する投写型表示装置および当該投写型表示装置に装着される端子カバーおよびカバーユニットに関する。
【背景技術】
【０００２】
従来、投写型表示装置（以下、「プロジェクタ」という）では、本体キャビネットの側面（たとえば、後面や左右の側面）にＡＶ端子等の各種端子が配置されている。ＡＶ端子には、映像信号や音声信号を送信するためのケーブルが接続される。これら端子を通じて、プロジェクタに映像信号や音声信号等が入出力される（たとえば、特許文献１参照）。
【先行技術文献】
【特許文献】
【０００３】
【特許文献１】特開２００９−３０３４号公報
【発明の概要】
【発明が解決しようとする課題】
【０００４】
プロジェクタは、テーブルや床の上に設置される他、部屋の天井等にも設置され得る。この場合、プロジェクタは、上下逆さまにされて天井から吊り下げられ、部屋の内装の一部となる。よって、この設置形態では、プロジェクタの見栄えを良くする必要がある。
【０００５】
しかしながら、上記のように各種端子が本体キャビネットの後面や左右の側面に配置されると、これら端子が外部に露出し、また、これら端子へと繋がるケーブルが下から見えてしまう。このため、プロジェクタの見栄えが悪くなり、部屋の美観が損なわれる惧れがある。天井等から吊り下げられる設置形態では、通常、プロジェクタが常時設置された状態にあるため、端子やケーブル等が下から見えないようにして、プロジェクタの見栄えを高めるようにするのが望ましい。
【０００６】
本発明は、かかる課題に鑑みてなされたものであり、天井等に吊り下げられて設置される場合に見栄えを向上させ得る投写型表示装置、端子カバーおよびカバーユニットを提供することを目的とする。
【課題を解決するための手段】
【０００７】
本発明の第１の態様は、投写型表示装置に関する。本態様に係る投写型表示装置は、本体キャビネットの側面に配された端子と、前記側面に装着され、ケーブルが接続された前記端子を覆う端子カバーとを備える。ここで、前記端子カバーには、当該投写型表示装置が上から吊られるように設置されたときに上を向く面に、前記ケーブルが通される開口部が設けられている。
【０００８】
本発明の第１の態様に係る投写型表示装置によれば、ケーブルに接続された端子が端子カバーによって覆われる。端子に接続されたケーブルは、開口部を通って端子カバーの上方に出される。このため、下からは、ケーブルが見えにくくなる。よって、天井等に設置された状態での投写型表示装置の見栄えが良くなる。
【０００９】
第１の態様に係る投写型表示装置は、前記側面に装着され、前記端子カバーの内側に重なる内カバーを備えるような構成とされ得る。
【００１０】
このような構成とすれば、内カバーによって端子カバーが内側から支えられるので、端
子カバーを本体キャビネットに強固に装着することができる。
【００１１】
この場合、前記内カバーには、張出部と、この張出部よりも前記端子カバーとの重なり量が小さい凹部が設けられ、前記凹部に、前記端子を前記端子カバー内へ露出させる窓部が設けられた構成とされ得る。
【００１２】
このような構成とすれば、張出部によって端子カバーの内側を強固に支えつつ、凹部と窓部を介してケーブルを端子に円滑に接続することができる。
【００１３】
第１の態様に係る投写型表示装置において、前記内カバーの前記窓部の周囲に、前記端子の種別を示す文字が上下逆さまに印され得る。
【００１４】
このような構成とすれば、投写型表示装置が上下逆さまに設置される場合に、作業者が、端子の種別を示す文字を円滑に読むことができ、端子に対するケーブルの接続を容易に行うことができる。
【００１５】
本発明の第２の態様は、端子カバーに関する。本態様に係る端子カバーは、投写型表示装置の側面に配された端子を、ケーブルが接続された状態で覆う。ここで、端子カバーには、前記投写型表示装置が上から吊られるように設置された状態で上を向く面に、前記ケーブルが通される開口部が設けられている。
【００１６】
本発明の第２の態様に係る端子カバーによれば、当該端子カバーを投写型表示装置に装着することにより、第１の態様と同様、天井等に設置された状態での投写型表示装置の見栄えが良くなる。
【００１７】
本発明の第３の態様は、カバーユニットに関する。本態様に係るカバーユニットは、第２の態様に係る端子カバーと、前記投写型表示装置の側面に装着され、前記端子カバーの内側に重なる内カバーとを備える。ここで、前記内カバーには、張出部と、この張出部よりも重なり量が小さい凹部が設けられ、前記凹部に、前記端子を前記端子カバー内へ露出させるための窓部が設けられている。
【００１８】
本発明の第３の態様に係るカバーユニットによれば、当該端子カバーを投写型表示装置に装着することにより、第１の態様と同様、天井等に設置された状態での投写型表示装置の見栄えが良くなる。しかも、端子カバーを本体キャビネットに強固に装着することができる。
【発明の効果】
【００１９】
以上のとおり、本発明によれば、天井等に吊り下げられて設置される場合に見栄えを向上させ得る投写型表示装置、端子カバーおよびカバーユニットを提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの外観構成を示す斜視図である。
【図２】実施の形態に係るプロジェクタの内部構成を示す斜視図である。
【図３】実施の形態に係る光学エンジンおよび投写レンズユニットの構成を示す図である。
【図４】実施の形態に係るカバーユニットの構成を示す図である。
【図５】実施の形態に係る内カバーの構成を示す図である。
【図６】実施の形態に係る内カバーの構成を示す図である。
【図７】実施の形態に係る内カバーの構成を示す図である。
【図８】実施の形態に係る端子カバーの構成を示す図である。
【図９】実施の形態に係る本体キャビネットの右側面部の構造について説明するための図である。
【図１０】実施の形態に係る本体キャビネットに内カバーが取り付けられた状態を示す図である。
【図１１】実施の形態に係る本体キャビネットに端子カバーが取り付けられた状態を示す図である。
【図１２】実施の形態に係る本体キャビネットに端子カバーが取り付けられた状態を示す図である。
【発明を実施するための形態】
【００２２】
以下、図面を参照して、本発明の実施の形態について説明する。
【００２３】
図１は、プロジェクタの外観構成を示す斜視図である。図１（ａ）は、前方から見たプロジェクタの斜視図であり、図１（ｂ）は、後方から見たプロジェクタの斜視図である。
【００２４】
図１を参照して、プロジェクタは、本体キャビネット１０を備えている。本体キャビネット１０は、下部キャビネット１１と、下部キャビネット１１に上方から被せられる上部キャビネット１２により構成されている。
【００２５】
下部キャビネット１１は、上面が開放された底の浅い箱状に形成されている。下部キャビネット１１は、その前面１１Ｆが左右の側面１１Ｌ、１１Ｒおよび後面１１Ｂよりも高くなるように形成されている。左右の側面１１Ｌ、１１Ｒは、前端部分で緩やかに高くなり、前面１１Ｆにつながっている。
【００２６】
下部キャビネット１１の前面１１Ｆには、吸気口１１１が形成されている。吸気口１１１は、多数のスリット状の孔によって構成されている。また、下部キャビネット１１の前面１１Ｆには、出音口１１２が形成されている。出音口１１２からは、投写時に映像に対応する音声が出力される。
【００２７】
上部キャビネット１２は下面が開放された箱状に形成されている。上部キャビネット１２の前部は、左右全体に亘って緩やかに上方に反っており、その前面１２Ｆが、わずかに斜め上方を向いている。上部キャビネット１２の前面１２Ｆは、横方向から見て、緩やかに湾曲しているとともに、下部キャビネット１１の前面１１Ｆよりも斜め上方に突出している。
【００２８】
上部キャビネット１２の前面１２Ｆには、中央よりも左側面側に寄った位置に、四角形状の投写口１２１が形成されている。投写口１２１の奥には、投写レンズユニット３０の前端部分のレンズ３１１が収容される収容部１２２が形成されている。
【００２９】
上部キャビネット１２の左側面１２Ｌは、側面カバー１２３によって構成されている。側面カバー１２３は、上部キャビネット１２本体および下部キャビネット１１にネジより固定されている。側面カバー１２３には、端子収容部１２３ａが形成されており、端子収容部１２３ａ内において、ＡＶ端子等の各種端子８０２ａが外部に臨んでいる。プロジェクタには、ＡＶ端子８０２ａを通じて、映像信号や音声信号などのＡＶ（Audio Visual）信号が入出力される。
【００３０】
上部キャビネット１２の後面１２Ｂは、着脱可能な後面カバー１２４によって構成されている。後面カバー１２４には、吸気口１２５が設けられている。吸気口１２５は、多数のスリット状の孔によって構成されている。また、上部キャビネット１２の右側面１２Ｒには、排気口１２６が設けられている。排気口１２６は、多数のスリット状の孔によって構成されている。吸気口１２５や下部キャビネット１１の吸気口１１１から本体キャビネット１０内に取り込まれた外気は、液晶パネルや光源ランプなど、本体キャビネット１０内の発熱部品を冷却した後に排気口１２６から排出される。
【００３１】
上部キャビネット１２の上面１２Ｕには、インジケータ部１３と操作部１４が設けられている。インジケータ部１３には、複数の表示窓が配されており、ＬＥＤからの光によって点灯する。ユーザは、各表示窓の点灯状態によって、プロジェクタが運転中であるかスタンバイ状態であるかを確認したり、各種のエラー状態を確認したりすることができる。操作部１４には、複数の操作キーが配されている。
【００３２】
図２は、プロジェクタ内部構成を示す斜視図である。図２（ａ）は、上部キャビネット１２および制御回路ユニット８０が取り外された状態を示すプロジェクタの後方から見た斜視図である。また、図２（ｂ）は、制御回路ユニット８０が装着され、上部キャビネット１２のみが取り外された状態を示すプロジェクタの後方から見た斜視図である。
【００３３】
図２（ａ）を参照して、下部キャビネット１１には、光学エンジン２０、投写レンズユニット３０、メイン電源ユニット４０、サブ電源ユニット５０、冷却ユニット６０および排気ファンユニット７０が配されている。
【００３４】
光学エンジン２０は、光源ランプを有する光源部２１と、光源部２１からの光を変調して映像光を生成する光学系２２とを備えており、下部キャビネット１１の中央よりやや後ろ側に配されている。光学系２２は、光源部２１から投写レンズユニット３０に至るようにＬ字状を有する。
【００３５】
投写レンズユニット３０は、光学系２２の前方であって、下部キャビネット１１の中央よりやや左側面寄りに配されている。投写レンズユニット３０は、レンズホルダ３１を介して下部キャビネット１１に固定されている。
【００３６】
図３は、光学エンジン２０および投写レンズユニット３０の構成を示す図である。
【００３７】
光源ランプ２０１から出射された白色光は、コンデンサレンズ２０２、フライアイインテグレータ２０３、ＰＢＳアレイ２０４を通過する。フライアイインテグレータ２０３は、液晶パネル（後述する）に照射される各色光の光量分布を均一化させ、ＰＢＳアレイ２０４は、ダイクロイックミラー２０６に向かう光の偏光方向を一方向に揃える。
【００３８】
ＰＢＳアレイ２０４を通過した光は、コンデンサレンズ２０５を通過してダイクロイックミラー２０６に入射する。
【００３９】
ダイクロイックミラー２０６は、入射した光のうち、青色波長帯の光（以下、「Ｂ光」という）のみを反射し、緑色波長帯の光（以下、「Ｇ光」という）と赤色波長帯の光（以下、「Ｒ光」という）を透過する。
【００４０】
ダイクロイックミラー２０６により反射されたＢ光は、コンデンサレンズ２０５、２０７によるレンズ作用と反射ミラー２０８による反射によって、適正な照射状態にて青色用の液晶パネル２０９に照射される。液晶パネル２０９は、青色用の映像信号に応じて駆動され、その駆動状態に応じてＢ光を変調する。なお、液晶パネル２０９の入射側には１枚
の入射側偏光板２１０が配されており、入射側偏光板２１０を介して液晶パネル２０９にＢ光が照射される。また、液晶パネル２０９の出射側には２枚の出射側偏光板２１１が配されており、液晶パネル２０９から出射されたＢ光が出射側偏光板２１１に入射する。
【００４１】
ダイクロイックミラー２０６を透過したＧ光およびＲ光は、ダイクロイックミラー２１２に入射する。ダイクロイックミラー２１２は、Ｇ光を反射するとともにＲ光を透過する。
【００４２】
ダイクロイックミラー２１２により反射されたＧ光は、コンデンサレンズ２０５、２１３によるレンズ作用によって、適正な照射状態にて緑色用の液晶パネル２１４に照射される。液晶パネル２１４は、緑色用の映像信号に応じて駆動され、その駆動状態に応じてＧ光を変調する。なお、液晶パネル２１４の入射側には１枚の入射側偏光板２１５が配されており、入射側偏光板２１５を介して液晶パネル２１４にＧ光が照射される。また、液晶パネル２１４の出射側には２枚の出射側偏光板２１６が配されており、液晶パネル２１４から出射されたＧ光が出射側偏光板２１６に入射する。
【００４３】
ダイクロイックミラー２１２を透過したＲ光は、コンデンサレンズ２０５、２１７およびリレーレンズ２１８、２１９によるレンズ作用と反射ミラー２２０、２２１による反射によって、適正な照射状態にて赤色用の液晶パネル２２２に照射される。液晶パネル２２２は、赤色用の映像信号に応じて駆動され、その駆動状態に応じてＲ光を変調する。なお、液晶パネル２２２の入射側には１枚の入射側偏光板２２３が配されており、入射側偏光板２２３を介して液晶パネル２２２にＲ光が照射される。また、液晶パネル２２２の出射側には１枚の出射側偏光板２２４が配されており、液晶パネル２２２から出射されたＲ光が出射側偏光板２２４に入射する。
【００４４】
液晶パネル２０９、２１４、２２２によって変調されたＢ光、Ｇ光、Ｒ光は、出射側偏光板２１１、２１６、２２４を通過してダイクロイックプリズム２２５に入射する。ダイクロイックプリズム２２５は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム２２５から投写レンズユニット３０に向けて出射される。
【００４５】
投写レンズユニット３０は、複数のレンズを備えており、入射した映像光を拡大してスクリーンに投写する。投写レンズユニット３０は、短焦点タイプのレンズであり、前端部に大きなレンズ３１１を有する。映像光は、レンズ３１１からやや斜め上方に向けて出射される。
【００４６】
また、投写レンズユニット３０には、フォーカスリング３１２が設けられている。フォーカスリング３１２には、フォーカスレバー３１３が形成されている。フォーカスレバー３１３が操作されると、フォーカスリング３１２が回動し、これに伴って、投写レンズユニット３０内部のフォーカスレンズ（図示せず）が移動する。こうして、フォーカスレバー３１３が操作されることにより、投写画像のフォーカスが調整される。
【００４７】
図２（ａ）に戻り、投写レンズユニット３０の右方には、メイン電源ユニット４０が配されており、左方には、サブ電源ユニット５０が配されている。メイン電源ユニット４０は、ハウジング４０１内に電源回路を備えており、プロジェクタの各電装部品に電源の供給を行う。ハウジング４０１には、投写レンズユニット３０側の側面に、多数の孔からなる通気口４０２が形成されている。また、反対側の側面にも図示しない通気口が形成されている。
【００４８】
サブ電源ユニット５０は、ノイズフィルタや平滑回路などを備えており、入力された商用交流電源からノイズを除去してメイン電源ユニット４０に供給する。
【００４９】
光学エンジン２０の後方には、冷却ユニット６０が配されている。冷却ユニット６０は複数の吸気ファンを備えている。下部キャビネット１１の後端部には、冷却ユニット６０の吸気口部６０１が配されている。吸気口部６０１には、着脱可能なフィルタユニット９０が配される。フィルタユニット９０は、目の粗さが異なる複数のフィルタを有し、吸気口１２７から取り込まれる外気中の塵や埃を、その大きさに応じて、それぞれのフィルタにて段階的に除去する。
【００５０】
冷却ユニット６０は、本体キャビネット１０の吸気口１２７から取り込んだ外気を、液晶パネル２０９、２１４、２２２など、光学エンジン２０の主要な発熱部品に供給して、これら発熱部品を冷却する。
【００５１】
メイン電源ユニット４０の右方であって、下部キャビネット１１の右側端部には、排気ファンユニット７０が配されている。排気ファンユニット７０は、第１排気ファン７０１と、第２排気ファン７０２と、これらの排気ファン７０１、７０２を下部キャビネット１１に固定するためのファンホルダ７０３とにより構成されている。
【００５２】
第１排気ファン７０１は、その吸気面が、本体キャビネット１０の左側面よりもやや斜め後方に向いている。第１排気ファン７０１は、光学エンジン２０内の発熱部品（液晶パネル２０９、２１４、２２２や光源ランプ２０１）を冷却することにより温まった空気を外部に排出する。また、吸気口１１１から取り込まれ、投写レンズユニット３０を冷却することにより温まった空気を外部に排出する。
【００５３】
第２排気ファン７０２は、その吸気面が、メイン電源ユニット４０に向いている。第２排気ファン７０２は、メイン電源ユニット４０を冷却することにより温まった空気を外部に排出する。
【００５４】
次に、図２（ｂ）を参照して、下部キャビネット１１の左側面側には、制御回路ユニット８０が配される。制御回路ユニット８０は、回路基板８０１と、回路基板８０１の左端部に装着されたＡＶ端子基板８０２とにより構成されている。
【００５５】
回路基板８０１は、前後が長手方向となる長方形状を有している。回路基板８０１には、液晶パネル２０９、２１４、２２２、光源ランプ２０１等の各種駆動部品を制御するための制御回路が配されている。回路基板８０１は、投写レンズユニット３０、光学エンジン２０および冷却ユニット６０の一部を覆うように、これらと比較的小さな間隔を持って配される。
【００５６】
ＡＶ端子基板８０２には、各種端子８０２ａが装着されている。上述のように、上部キャビネット１２が下部キャビネット１１に装着されると、各種端子８０２ａが、端子収容部１２３ａにおいて外部に臨む。
【００５７】
さて、本実施の形態のプロジェクタは、部屋の上方に設置することができる。プロジェクタは、上下逆さまにされて天井から吊り下げられ、部屋の内装の一部となる。本実施の形態では、プロジェクタが天井から吊り下げられた状態で、端子８０２ａに接続されたケーブルが下から見えにくくなるようにするため、カバーユニットＫが用意されている。
【００５８】
図４は、カバーユニットＫの構成を示す図である。
【００５９】
カバーユニットＫは、内カバー１５と、端子カバー１６とにより構成されている。カバーユニットＫは、側面カバー１２３に替えて本体キャビネット１０の左側面に装着される。図４に示すように、カバーユニットＫが装着されるときには、側面カバー１２３が取り外される。そして、最初に、内カバー１５が本体キャビネット１０に装着される。その後、端子カバー１６が、内カバー１５を覆うようにして、本体キャビネット１０に装着される。
【００６０】
以下、内カバー１５および端子カバー１６の構成、並びに、これらを本体キャビネット１０へ取り付けるための構造について詳述する。
【００６１】
図５ないし図７は、内カバー１５の構成を示す図である。図５（ａ）は、内カバー１５の側面図であり、図１５（ｂ）は、内カバー１５を上方から見た斜視図である。また、図６は、内カバー１５を下方から見た斜視図である。さらに、図７は、端子収容部１５４の要部の拡大図である。
【００６２】
これらの図を参照して、内カバー１５は、中央部１５１に対して、前端部１５２および後端部１５３が左方に張り出す形状を有している。即ち、中央部１５１は、前端部１５２および後端部１５３に対して凹んでいる。また、内カバー１５は、上部キャビネット１２と同様、前部が上方に反った形状を有している。さらに、内カバー１５は、右側面全体が開放されているとともに、底面が下部キャビネット１１の形状に対応して開放されている（図６参照）。
【００６３】
中央部１５１には、端子収容部１５４が形成されている。端子収容部１５４の底面には、各種端子８０２ａに対応する窓部１５４ａが形成されている。内カバー１５が本体キャビネット１０に装着されると、各種端子８０２ａが、対応する窓部１５４ａから外部に露出する。
【００６４】
図７に示すように、各窓部１５４ａの下方には、対応する端子８０２ａの種別を示す文字１５４ｂが印されている。これら文字１５４ｂは、上下逆さまに印されている。なお、図７には、端子収容部１５４に形成された一部の窓部１５４ａとそれに対応する文字１５４ｂが示されている。
【００６５】
内カバー１５の上面には、３か所に溝部１５５が形成されている。端子カバー１６が、本体キャビネット１０および内カバー１５に装着される際、端子カバー１６の爪片（後述する）がこれら溝部１５５を通る。内カバー１５の左側面には、５つのネジ孔１５６が設けられている。
【００６６】
内カバー１５の前面、上面および後面には、右端部に鍔片１５７が形成されている。鍔片１５７には、４つの係合孔１５７ａが形成されている。また、鍔片１５７には、３つの溝部１５５に対応する部分に、それぞれ、切欠き部１５７ｂが形成されている。
【００６７】
図６に示すように、内カバー１５の前端部１５２および後端部１５３の底面には、それぞれ、係合部１５８と取付凹部１５９とが設けられている。係合部１５８は、係合孔１５８ａと、係合孔１５８ａの両端からの切り込みによって形成される舌部１５８ｂとにより構成されている。舌部１５８ｂは、片持ち支持された構成であるため、ある程度、上下方向にたわむことができる。取付凹部１５９には、取付孔１５９ａが形成されている。
【００６８】
図８は、端子カバー１６の構成を示す図である。
【００６９】
端子カバー１６は、右側面全体が開放された箱形状を有するとともに、上部キャビネッ
ト１２と同様、前部が上方に反った形状を有する。端子カバー１６の上面右端部には、３つの爪片１６１が形成されている。また、端子カバー１６の底面には、前部および後部に、爪部１６２とネジ孔部１６３とが設けられている。ネジ孔部１６３は、端子カバー１６の外底面から凹む（内面側へ突出する）ように形成されている。ネジ孔部１６３には、ネジ孔１６３ａ（図１２（ｂ）参照）が形成されている。なお、図８には、前部のネジ孔部１６３のみが図示されている。
【００７０】
端子カバー１６の底面には、さらに、前後方向に長い開口部１６４が形成されている。また、開口部１６４の前後には、補強リブ１６５が形成されている。これら補強リブ１６５によって開口部１６４の周辺が補強されている。
【００７１】
図９は、本体キャビネット１０の右側面部の構造について説明するための図である。図９（ａ）は、右側端部が開放された状態の本体キャビネット１０の左側面図である。また、図９（ｂ）は、右側端部が開放された上部キャビネット１２の左半分を裏側から見た図である。
【００７２】
上部キャビネット１２の前面１２Ｆおよび上面１２Ｕには、左端部に鍔片１２７が形成されている。鍔片１２７には、上記４つの係合孔１５７ａに係合される４つの突部１２７ａが形成されている。また、鍔片１２７には、３つの切欠き部１２７ｂが、それぞれ、内カバー１５の３つの切欠き部１５７ｂに対応する位置に形成されている。さらに、切欠き部１５７ｂの隣には、係合リブ１２８が形成されている。
【００７３】
上部キャビネット１２には、内カバー１５のネジ止めに用いられる２つの取付孔１２９が設けられている。同様に、下部キャビネット１１にも２つ取付孔１１３が設けられており、制御回路ユニット８０にも１つの取付孔８０３が設けられている。
【００７４】
図１０は、本体キャビネット１０に内カバー１５が取り付けられた状態を示す図である。図１０（ａ）は、プロジェクタを左上方から見た図である。図１０（ｂ）は、図１０（ａ）のＡ−Ａ´断面図であり、上部キャビネット１２の突部１２７ａと内カバー１５の係合孔１５７ａとが係合する位置での断面図である。なお、図１０（ａ）では、各種端子８０２ａが図示省略されている。
【００７５】
内カバー１５は、その鍔片１５７を上部キャビネット１２の鍔片１２７の内側に嵌め込むようにして、本体キャビネット１０に装着される。これにより、図１０（ｂ）に示すように、上部キャビネット１２の突部１２７ａが内カバー１５の係合孔１５７ａに係合する。また、内カバー１５の５つのネジ孔１５６が、本体キャビネット１０側のそれぞれに対応する取付孔１２９、１１３、８０３に整合する。ネジ孔１５６と取付孔１２９、１１３、８０３との間でネジ止めがなされ、内カバー１５が本体キャビネット１０に固定される。
【００７６】
内カバー１５が本体キャビネット１０に装着されると、内カバー１５の３つの溝部１５５と上部キャビネット１２とによって、３つの挿入口１２７ｃが形成される。これら挿入口１２７ｃに端子カバー１６の爪片１６１が挿入される。
【００７７】
図１１および図１２は、本体キャビネット１０に端子カバー１６が取り付けられた状態を示す図である。図１１（ａ）は、前方から見たプロジェクタの斜視図であり、図１１（ｂ）は、プロジェクタの底面図である。また、図１２（ａ）は、図１１（ａ）のＢ−Ｂ´断面図であり、図１２（ｂ）は、図１１（ｂ）のＣ−Ｃ´断面図である。
【００７８】
端子カバー１６は、左側から内カバー５へ被せるようにして、本体キャビネット１０に
装着される。この際、端子カバー１６の各爪片１６１は、対応する各溝部１５５を通って各挿入口１２７ｃから本体キャビネット１０内に挿入される。図１２（ａ）に示すように、爪片１６１は、その先端部が係合リブ１２８を越えるまで挿入される。これにより、爪片１６１と係合リブ１２８とが係合する。
【００７９】
また、図１２（ｂ）に示すように、端子カバー１６の爪部１６２は、内カバー１５の係合孔１５８ａと係合する。さらに、端子カバー１６のネジ孔部１６３が内カバー１５の取付凹部１５９に嵌め込まれ、ネジ孔部１６３のネジ孔１６３ａが取付凹部１５９の取付孔１５９ａに整合する。ここで、係合部１５８は、係合孔１５８ａの前に舌部１５８ｂを有するため、爪部１６２によって舌部１５８ｂを上方にたわませながら、爪部１６２を係合孔１５８ａまで押し込むことができる。これにより、端子カバー１６の底面側を内カバー１５の底面側に容易に嵌め込むことが可能となる。
【００８０】
こうして、ネジ孔部１６３と取付凹部１５９とがネジＳによって止められる。端子カバー１６は、爪片１６１と係合リブ１２８と係合、爪部１６２と係合孔１５８ａとの係合およびネジ孔部１６３と取付凹部１５９とのネジ止めによって、本体キャビネット１０および内カバー１５に固定される。
【００８１】
端子カバー１６が装着された状態において、端子カバー１６の内側には、内カバー１５が重なっている。特に、端子カバー１６の前部および後部では、端子カバー１６の左右の寸法の半分を越える程度まで、内カバー１５の前部１５２および後部１５３が重なっている。内カバー１５の外周面（前後上下の外面）は、端子カバー１６の内周面（前後上下の内面）に当接しており、端子カバー１５の内側が内カバー１６によって支えられている。
【００８２】
図１１（ｂ）に示すように、下部キャビネット１１の底面には、４つのネジ孔１１４が設けられている。これらネジ孔１１４を用いて、下部キャビネット１１の底面に天吊り金具が取り付けられる。プロジェクタは、天吊金具を介して、上下逆さまの状態で天井から吊り下げられる。このとき、端子カバー１６の底面が上を向く。端子８０２ａに接続されたケーブルは、開口部１６４を通って端子カバー１６の上方に出され、天井裏へと通される。
【００８３】
ユーザは、下方からプロジェクタを見ることになる。このため、ユーザからは、開口部１６４から出ているケーブルが見えにくくなる。
【００８４】
このように、本実施の形態によれば、端子カバー１６によって、端子８０２ａに接続されたケーブルをユーザから見えにくくすることができるので、天井から吊り下げて設置した際に、プロジェクタの見栄えが良くなる。
【００８５】
また、プロジェクタを天井から吊り下げて設置する際、未だ端子８０２ａに接続されていないケーブルを、端子カバー１６内に一時的に保持させておくことができる。よって、プロジェクタを天井から吊り下げて設置する際の作業性が良くなる。
【００８６】
さらに、本実施の形態によれば、内カバー１５によって、端子カバー１６を内側から支えるようにしたので、端子カバー１６を本体キャビネット１０に強固に装着することができる。よって、プロジェクタを設置する際に、端子カバー１６に不所望な力が加わっても、端子カバー１６が破損しにくい。
【００８７】
また、本実施の形態によれば、内カバー１５は、前部１５２および後部１５３が、端子８０２ａが配された中央部１５１よりも張り出すような形状とされている。これにより、端子カバー１６の前後の部分では、端子カバー１６の内側を強固に支えることができ、か
つ、端子カバー１６の中央部分では、端子８０２ａへのケーブルの接続に必要な空間を十分に確保できる。よって、端子カバー１６を本体キャビネット１０に強固に装着することができるとともに、端子８０２ａに対してケーブルを円滑に接続することができる。
【００８８】
さらに、本実施の形態によれば、内カバー１５には、各種端子８０２ａの種別を示す文字１５４ｂが、上下逆さまに印されている。これにより、プロジェクタを天井から吊り下げて設置する際、作業者が、プロジェクタを上下逆さまにした状態で、各種端子８０２ａの種別を示す文字１５４ｂを円滑に読むことができるので、各種端子８０２ａに対するケーブルの接続を容易に行うことができる。
【００８９】
以上、本実施の形態について説明したが、本発明は上記実施の形態に何ら制限されるものではなく、また、本発明の実施形態も、上記実施の形態に以外に、種々の変更が可能である。
【００９０】
たとえば、上記実施の形態では、端子カバー１６の内側に、内カバー１５が配されるよう構成されているが、端子カバー１６のみが本体キャビネット１０に装着されるよう構成されても良い。ただし、上述したように、端子カバー１６を本体キャビネット１０に強固に装着するためには、内カバー１５を設けることが望ましい。
【００９１】
また、上記実施の形態では、内カバー１５は、前部１５２と後部１５３の双方が、中央部１５１よりも左方に張り出すような構成とされている。しかしながら、これに限らず、前部１５２または後部１５３の一方のみが張り出すような構成とされても良い。
【００９２】
さらに、上記実施の形態では、プロジェクタの左側面に各種端子８０２ａが配されているが、これに限らず、プロジェクタの他の側面、即ち、右側面や後面に各種端子８０２ａが配されても良い。
【００９３】
この他、本発明の実施の形態は、特許請求の範囲に示された技術的思想の範囲内において、適宜、種々の変更が可能である。
【符号の説明】
【００９４】
１０  本体キャビネット
１５  内カバー
１５１  中央部（凹部）
１５２  前部（張出部）
１５３  後部（張出部）
１５４  端子収容部
１５４ａ  窓部
１５４ｂ  文字
１６  端子カバー
１６４  開口部
８０２ａ  端子
Ｋ  カバーユニット
【図１】
2011170110.tif 000003
【図２】
2011170110.tif 000004
【図３】
2011170110.tif 000005
【図４】
2011170110.tif 000006
【図５】
2011170110.tif 000007
【図６】
2011170110.tif 000008
【図７】
2011170110.tif 000009
【図８】
2011170110.tif 000010
【図９】
2011170110.tif 000011
【図１０】
2011170110.tif 000012
【図１１】
2011170110.tif 000013
【図１２】
2011170110.tif 000014